(57)【要約】      （修正有）【課題】全コース的に放熱ファンの回転速度変化を監視・制御する。【解決手段】固定的に固定電圧源及び接地点に電気的に接続され、これにより持続的に電力を入力する第１の入力端３３１及び第２の入力端３３２と、ファンモータ３１と系統３０との間に電気的に接続され、これにより系統より発信したパルス信号を受信してファンモータ３１の回転速度を制御する第３の入力端３３３と、第１のレグ及び第２のレグに電気的に接続され、これによりモータの回転速度に応じて持続的に回転速度信号を出力する回転速度出力モジュール３２と、回転速度モジュールと系統との間に電気的に接続され、これにより回転速度信号を系統に出力する回転速度出力端３３４とを備えてなる。【選択図】図３
2005117820.tif 000002
【特許請求の範囲】
【請求項１】
パルス幅変調信号で回転速度の制御を行うモータと系統との間に応用されるモータ回転速度の検出装置であって、
固定的に固定電圧源及び接地点に電気的に接続され、これにより持続的に電力を入力する第１の入力端及び第２の入力端と、
前記モータと前記系統との間に電気的に接続され、これにより該系統より発信したパルス幅変調信号を受信して該モータの回転速度を制御する第３の入力端と、
第１のレグ及び第２のレグに電気的に接続され、これにより前記モータの回転速度に応じて持続的に回転速度信号を出力する回転速度出力モジュールと、
前記回転速度出力モジュールと前記系統の間に電気的に接続され、これにより前記回転速度信号を該系統に出力する回転速度出力端と、を備えてなるモータ回転速度検出装置。
【請求項２】
前記検出装置に応用される前記モータおよび前記系統はそれぞれ放熱ファン・モータ及び携帯式コンピュータである請求項１記載のモータ回転速度検出装置。
【請求項３】
モータ上と系統との間に応用され、この系統により周波数及びデューティ・サイクルがいずれも変化可能なパルス幅変調信号を該モータに出力してその回転速度を制御する方法であって、
前記モータの第１のプリセット回転速度及び該第１のプリセット回転速度に対応する前記パルス幅変調信号の第１の周波数、即ち該第１のプリセット回転速度のダブル・フリケンシーを設定するステップと、
前記モータに対して学習プログラムを進行し、前記系統により順にテスト周波数に固定されるがデューティ・サイクルが異なるパルス幅変調信号を該モータに入力すると共に、順にその回転速度を記録して回転速度に対応するデューティ・サイクルの対照表を完成するステップと、
前記第１のプリセット回転速度及び前記対照表に基づいて、対応する第１のデューティ・サイクルを呈出し、前記系統により、前記第１の周波数及び第１のデューティ・サイクルへ固定されるパルス幅変調信号を前記モータに出力して、該モータに、該第１のプリセット回転速度で運転を行わせるステップと、
を備えてなるモータ回転速度検出装置のモータ回転速度制御方法。
【請求項４】
前記テスト周波数は前記第１の周波数及び該第１の周波数のダブル・フリケンシーと不等であり、
前記モータ回転速度制御方法はさらに、前記モータの第２のプリセット回転速度及び該第２のプリセット回転速度に対応する前記パルス幅変調信号の第２の周波数、即ち該第２のプリセット回転速度のダブル・フリケンシーを設定するステップと、該第２のプリセット回転速度及び前記対照表に基づいて、対応する第２のデューティ・サイクルを呈出し、前記系統により、前記第１の周波数および前記第２のデューティ・サイクルへ固定されるパルス幅変調信号を該モータに出力して、該モータに、該第２のプリセット回転速度で運転を行わせるステップと、を備えてなり、
前記テスト周波数は前記第２の周波数及び該第２の周波数のダブル・フリケンシーと不等であり、
前記学習プログラムにおいて、前記系統により順に前記テスト周波数へ固定されるが前記デューティ・サイクルが１００％から下へ低減して４％に変化するパルス幅変調信号を前記モータに入力すると共に、順にその回転速度を記録して、該回転速度に対応する該デューティ・サイクルの対照表を完成し、
前記モータ及び前記系統はそれぞれ放熱ファン・モータ及び携帯式コンピュータであり、及び
前記モータ回転速度制御方法における該モータの回転速度は前記モータ回転速度検出装置により出力され、この装置は、固定的に固定電圧源及び接地点に電気的に接続され、これにより持続的に電力を入力する第１の入力端及び第２の入力端と、該モータと該系統との間に電気的に持続され、これにより該系統より発信した該パルス幅変調信号を受信して該モータの回転速度を制御する第３の入力端と、第１のレグ及び第２のレグに電気的に持続され、これにより該モータの回転速度に応じて持続的に回転速度信号を出力する回転速度出力モジュールと、該回転速度出力モジュールと該系統との間に電気的に持続され、これにより該回転速度信号を該系統に出力する回転速度出力端と、を備えてなる、
請求項３記載のモータ回転速度制御方法。
【請求項５】
系統中のチップに応用されるチップ放熱装置であって、該チップ表面に接触して該チップの放熱効率を増強するフィンと、
パルス幅変調信号の駆動を受けて運転を進行し、これにより前記フィン周囲の空気の流動を加速する放熱ファンと、
固定的に電気的に固定電圧源及び接地点に接続して持続的に電力を入力する第１の入力端および第２の入力端と、
前記放熱ファンと前記系統との間に電気的に接続され、これにより該系統より発した前記パルス幅変調信号を受信して該放熱ファンの回転速度を制御する第３の入力端と、
第１のレグ及び第２のレグに電気的に接続され、前記放熱ファンの回転速度に応じて持続的に回転速度信号を出力する回転速度出力モジュールと、
前記回転速度出力モジュールと前記系統との間に電気的に接続され、これにより前記回転速度信号を該系統に出力する回転速度出力端と、
を備えてなるチップ放熱装置。
【請求項６】
前記チップ放熱装置に応用される前記系統は携帯式コンピュータである請求項５記載のチップ放熱装置。
【請求項７】
前記放熱ファン回転速度の制御方法は該放熱ファンの第１のプリセット回転速度及び該第１のプリセット回転速度に対応する前記パルス幅変調信号の第１の周波数、即ち該第１のプリセット回転速度のダブル・フリケンシーを設定するステップと、該放熱ファンに対して学習プログラムを進行し、前記系統により順に、テスト周波数へ固定されるがデューティ・サイクルが異なるパルス幅変調信号を該放熱ファンに入力すると共に、順にその回転速度を記録して回転速度に対応するデューティ・サイクルの対照表を完成するステップと、該第１のプリセット回転速度及び該対照表に基づいて、対応する該第１のデューティ・サイクルを呈出し、該系統により、該第１の周波数及び該第１のデューティ・サイクルへ固定されるパルス幅変調信号を該放熱ファンに出力して、該放熱ファンに、第１のプリセット回転速度で運転を行わさせるステップと、を備えてなり、
前記放熱ファンの前記第２のプリセット回転速度及び該第２のプリセット回転速度に対応する前記パルス幅変調信号の第２の周波数、即ち該第２のプリセット回転速度のダブル・フリケンシーを設定し、そして前記第２のプリセット回転速度及び前記対照表に基づいて、対応する第２のデューティ・サイクルを呈出し、前記系統により、前記第１の周波数及び前記第２のデューティ・サイクルへ固定される前記パルス幅変調信号を前記放熱ファンに出力して、該放熱ファンに該第２のプリセット回転速度で運転を行わさせ、ここにおいて前記テスト周波数は前記第２の周波数及び該第２の周波数のダブル・フリケンシーと不等であり、及び
前記学習プログラムにおいて、該系統により順に、前記テスト周波数へ固定されるが前記デューティ・サイクルが１００％から下へ低減して４％に変化するパルス幅変調信号を該放熱ファンに入力すると共に、順にその回転速度を記録して、該回転速度に対応する該デューティ・サイクルの対照表を完成する、
請求項５記載のチップ放熱装置。
【発明の詳細な説明】
【技術分野】
【０００１】
本発明はモータ回転速度の検出装置及び検出方法に関し、特に、携帯式コンピュータに応用されるモータ回転速度の検出装置及び検出方法に関する。
【背景技術】
【０００２】
素子の集積化程度が日増しに増大しているので、放熱は現今のあらゆる電子装置の重大な課題となっている。例えば携帯式コンピュータを例にとれば、内部で高速度運転している集積回路チップにより発生した熱量は、効果的に放熱しなければ厳重に系統の安定性が影響される。中にも、放熱ファンは携帯式コンピュータにおいて応用が最も多く、不可欠な主動放熱素子である。図１はパルス幅変調（ＰＷＭ）信号により制御される従来の放熱ファンの機能ブロック見取図であり、主として、ファン・モータ１０と回転速度出力モジュール１１により構成されている。図１において、系統がファン・モータ１０の第１のエンド１０１（電源端子）と第２のエンド１０２（接地端子）との間にパルス幅変調信号（図２（ａ）参照）を提供した時に、該ファン・モータ１０は該パルス幅変調信号の周波数及びデューティ・サイクル（ｄｕｔｙ  ｃｙｃｌｅ）に応じてその回転速度を変え、他方回転速度出力モジュール１１はファン・モータ１０の回転速度に応じて矩形波信号を出力する（図２（ｂ）参照）。この場合、該矩形波信号の周波数は該回転速度に正比例する。
【発明の開示】
【発明が解決しようとする課題】
【０００３】
図１に示すような回路構造の配置ゆえに、回転速度出力モジュール１１の電力も該パルス幅変調信号により提供されるので、このパルス幅変調信号はハイ・ステータスにある時のみ矩形波信号を出力することが出来る。したがって全コース的に放熱ファンの回転速度変化を監視・制御することが出来ない。これはファンの回転速度及び環境温度に応じてパルス幅変調信号のデューティ・サイクルを変える系統にあっては、時間の監視・制御が固定的でないために誤差が発生し、系統のファン回転速度の精密制御に対して厳重な影響を与えるばかりでなく、放熱効率と、ファン・ノイズと、エネルギー消耗との間のバランスを達成できない。
【０００４】
したがって、本発明の主たる目的は上記従来技術の欠点を解消できる、モータ回転速度の検出装置及び検出方法を提供することにある。
【課題を解決するための手段】
【０００５】
本発明の、パルス幅変調信号で回転速度の制御を行うモータと系統との間に応用されるモータ回転速度の検出装置は、固定的に固定電圧源及び設置点に電気的に接続され、これにより持続的に電力を入力する第１の入力端及び第２の入力端と、該モータと該系統との間に電気的に接続され、これにより該系統より発信した該パルス幅変調信号を受信して該モータの回転速度を制御する第３の入力端と、第１のレグ及び第２のレグに電気的に接続され、これにより該モータの回転速度に応じて持続的に回転速度信号を出力する回転速度出力モジュールと、該回転速度出力モジュールと該系統との間に電気的に接続され、これにより該回転速度信号を該系統に出力する回転速度出力端と、を備えてなる（請求項１に対応）。
【０００６】
上記本発明のモータ回転速度の検出装置において、該装置に応用される該モータ及び該系統はそれぞれ放熱ファン・モータ及び携帯式コンピュータである（請求項２に対応）。
さらには、本発明の次のアスペクトとするモータ回転速度検出装置のモータ回転速度制御方法は、モータ上と系統との間に応用され、この系統により周波数及びデューティ・サイクルがいずれも変化可能なパルス幅変調信号を該モータに出力してその回転速度を制御する方法であって、該モータの第１のプリセット回転速度及び該第１のプリセット回転速度に対応する該パルス幅変調信号の第１の周波数、即ち該第１のプリセット回転速度のダブル・フリケンシーを設定するステップと、該モータに対して学習プログラムを進行し、該系統により順に、テスト周波数へ固定されるがデューティ・サイクルが異なるパルス幅変調信号を該モータに入力すると共に、順にその回転速度を記録して回転速度に対応するデューティ・サイクルの対照表を完成するステップと、該第１のプリセット回転速度及び該対照表に基づいて、対応する第１のデューティ・サイクルを呈出し、該系統により、該第１の周波数及び第１のデューティ・サイクルへ固定されるパルス幅変調信号を該モータに出力して、該モータに、該第１のプリセット回転速度で運転を行わせるステップと、を備えてなる（請求項３に対応）。
【０００７】
本発明のモータ回転速度検出装置のモータ回転速度制御方法において、該テスト周波数は該第１の周波数及び該第１の周波数のダブル・フリケンシーと不等であり、該モータ回転速度制御方法はさらに、該モータの第２のプリセット回転速度及び該第２のプリセット回転速度に対応する該パルス幅変調信号の第２の周波数、即ち該第２のプリセット回転速度のダブル・フリケンシーを設定するステップと、該第２のプリセット回転速度および該対照表に基づいて、対応する第２のデューティ・サイクルを呈出し、該系統により、該第１の周波数及び第２のデューティ・サイクルへ固定されるパルス幅変調信号を該モータに出力して、該モータに、該第２のプリセット回転速度で運転を行わせるステップと、を備えてなり、
該テスト周波数は該第２の周波数及び該第２の周波数のダブル・フリケンシーと不等であり、該学習プログラムにおいて、該系統により順に、テスト周波数へ固定されるがデューティ・サイクルが１００％から下へ低減して４％に変化するパルス幅変調信号を該モータに入力すると共に、順にその回転速度を記録して回転速度に対応するデューティ・サイクルの対照表を完成し、該モータ及び該系統はそれぞれ放熱ファン・モータ及び携帯式コンピュータであり、該モータ回転速度制御方法における該モータの回転速度はモータ回転速度検出装置により出力され、この装置は、固定的に固定電圧源及び接地点に電気的に接続され、これにより持続的に電力を入力する第１の入力端及び第２の入力端と、該モータと該系統との間に電気的に接続され、これにより該系統より発信した該パルス幅変調信号を受信して該モータの回転速度を制御する第３の入力端と、第１のレグ及び第２のレグに電気的に接続され、これにより該モータの回転速度に応じて持続的に回転速度信号を出力する回転速度出力モジュールと、該回転速度出力モジュールと該系統との間に電気的に接続され、これにより該回転速度信号を該系統に出力する回転速度出力端と、を備えてなる（請求項４に対応）。
【０００８】
さらには本発明のまた次のアスペクトとする、系統中のチップに応用されるチップ放熱装置は、該チップ表面に接触して該チップの放熱効率を増強するフィンと、パルス幅変調信号の駆動を受けて運転を進行し、これにより該フィン周囲の空気の流動を加速する放熱ファンと、固定的に電気的に固定電圧源及び接地点に接続して持続的に電力を入力する第１の入力端及び第２の入力端と、該放熱ファンと該系統との間に電気的に接続され、これにより該系統より発した該パルス幅変調信号を受信して該放熱ファンの回転速度を制御する第３の入力端と、第１のレグ及び第２のレグに電気的に接続され、該放熱ファンの回転速度に応じて持続的に回転速度信号を出力する回転速度出力モジュールと、該回転速度出力モジュールと該系統との間に電気的に接続され、これにより該回転速度信号を該系統に出力する回転速度出力端と、を備えてなる（請求項５に対応）。
【０００９】
上記本発明のチップ放熱装置において、該装置に応用される該系統は携帯式コンピュータである（請求項６に対応）。
また、上記本発明のチップ放熱装置において、該放熱ファン回転速度の制御方法は、該放熱ファンの第１のプリセット回転速度及び該第１のプリセット回転速度に対応する該パルス幅変調信号の第１の周波数、即ち該第１のプリセット回転速度のダブル・フリケンシーを設定するステップと、該放熱ファンに対して学習プログラムを進行し、該系統により順に、テスト周波数へ固定されるがデューティ・サイクルが異なるパルス幅変調信号を放熱ファンに入力すると共に、順にその回転速度を記録して回転速度に対応するデューティ・サイクルの対照表を完成するステップと、該第１のプリセット回転速度及び該対照表に基づいて、対応する第１のデューティ・サイクルを呈出し、該系統により、該第１の周波数及び第１のデューティ・サイクルへ固定されるパルス幅変調信号を放熱ファンに出力して、該放熱ファンに、該第１のプリセット回転速度で運転を行わせるステップと、を備えてなり、該放熱ファンの第２のプリセット回転速度及び該第２のプリセット回転速度に対応する該パルス幅変調信号の第２の周波数、即ち該第２のプリセット回転速度のダブル・フリケンシーを設定し、そして該第２のプリセット回転速度及び該対照表に基づいて対応する第２のデューティ・サイクルを呈出し、該系統により、該第１の周波数及び第２のデューティ・サイクルへ固定されるパルス幅変調信号を該放熱ファンに出力して、該放熱ファンに、該第２のプリセット回転速度で運転を行わせ、ここにおいて該テスト周波数は該第２の周波数及び該第２の周波数のダブル・フリケンシーと不等であり、及び該学習プログラムにおいて、該系統により順に、テスト周波数へ固定されるがデューティ・サイクルが１００％から下へ低減して４％に変化するパルス幅変調信号を該放熱ファンに入力すると共に、順にその回転速度を記録して、回転速度に対応するデューティ・サイクルの対照表を完成する（請求項７に対応）。
【発明を実施するための最良の形態】
【００１０】
以下、好適な実施例をあげて、添付図面を参照しながら本発明の技術的手段及びその作用効果をより具体的に詳述する。
図３はパルス幅変調信号により制御される放熱ファンの好適な実施例の機能ブロック図であり、主としてファン・モータ３１と回転速度出力モジュール３２とにより構成されている。従来装置が持続的に回転速度信号を出力できない欠点を解消するために、本発明は特に第１の入力端３３１及び第２の入力端３３２を固定的に固定電圧源Ｖｃｃ及び接地点に電気的に接続し、これにより回転速度出力モジュール３２に対して持続的に電力を提供すると共に、第３の入力端３３３により系統３０より発信したパルス幅変調信号（図４（ａ）参照）を受信して、ファン・モータ３１の回転速度を制御する。すると、回転速度出力モジュール３２はモータの回転速度に応じて、回転速度主力端３３４により持続的に回転速度信号（図４（ｂ）参照）を系統３０に出力し、系統３０がファンの回転速度に対して精密に制御できるように、全コース的に放熱ファンの回転速度を監視制御する。
【００１１】
次に、図５は本発明の放熱ファンにより発展された回転速度制御方法の好適な実施例のフローチャートである。この制御方法は携帯式コンピュータのスタートアップ・プログラム中に応用されることにより、放熱ファンの状態に応じて対照表を建立し、ひいてはファンの回転速度を精密に制御する。実際需要の取捨（ファンの回転速度が高い時は放熱能力がよいがノイズが大きく反対の場合は放熱能力は低いがノイズが小さい）に基づいて、先ずプリセットの回転速度及び該プリセット回転速度に対応するパルス幅変調信号の周波数を決定する。本例においては、ファンの回転速度は５５００回り／ｍｉｎ、５０００回り／ｍｉｎ、４５００回り／ｍｉｎ及び４０００回り／ｍｉｎの４種の状態で運転され、周波数に換算すると（５５００／６０）ヘルツ、（５０００／６０）ヘルツ、（４５００／６０）ヘルツ、及び（４０００／６０）ヘルツに設定される。したがって、これらプリセット回転速度に対応するパルス幅変調信号の各周波数はそれぞれ（５５００／６０）ヘルツ、（５０００／６０）ヘルツ、（４５００／６０）ヘルツ、及び（４０００／６０）ヘルツのダブル・フリケンシーである。
【００１２】
次に後を続いて学習プログラムを進行するが、学習プログラム前に先ずテスト周波数を設定し、なるべく上記４プリセット回転速度周波数値及びこれら周波数のダブル・フリケンシー値を避けるようにテスト周波数の選択を要求する。本例においてはテスト周波数を２３３ヘルツに設定してあるので、系統３０はファン・モータ３１に対して周波数が２３３ヘルツのパルス幅変調信号を発して学習プログラムを進行し、そして固定周波数のパルス幅変調信号を１００％のデューティ・サイクル（ｄｕｔｙ  ｃｙｃｌｅ）から順に下へ低減させ、ひいては順に回転速度に対応するデューティ・サイクル（％）の対照表（図６参照）を記録する。ここで、各ファンの性能にいずれも差異があるので、各ファンの対照表はいずれも違うという状態が存在する（本例では６個のファンについてそれぞれテストしている）。対照表を完成した後、この対照表に基づいてそれぞれこれらプリセット回転速度（５５００回り／ｍｉｎ、５０００回り／ｍｉｎ、４５００回り／ｍｉｎ、４０００回り／ｍｉｎ）について、例えば内挿法により必要な対応デューティ・サイクル百分比を設定する。本例の結果は、数値を１６進数字に転じて図７のように示されるが、注意すべきところはそれぞれ（５５００／６０）ヘルツ、（５０００／６０）ヘルツ、（４５００／６０）ヘルツ、及び（４０００／６０）ヘルツのダブル・フリケンシーから適当なパルス幅変調信号周波数が選ばれている。この図７に示すように、４個のファン回転速度（５５００回り／ｍｉｎ、５０００回り／ｍｉｎ、４５００回り／ｍｉｎ、４０００回り／ｍｉｎ）はそれぞれ３６６ヘルツ、３３３ヘルツ、３００ヘルツ、２６６ヘルツに対応しており、このようにすることにより、適当にパルス幅変調信号の操作周波数及びデューティ・サイクル百分比を制御すれば、ファン回転速度を正確な回転速度上で運行することができる。例えば、番号１のファン・モータの回転速度を５０００回り／ｍｉｎに制御する場合、図６及び図７に示された対照表に基づいてはっきり算出できる。そして系統により、操作周波数が３３３ヘルツ（３３３＝４×５０００／６）及びデューティ・サイクル百分比が８０％から７６％まで（最適値は内挿法により算出できる）のパルス幅変調信号を出力し、正確に回転速度を制御する効果を達成することができる。
【００１３】
次に、図８は本実施例におけるモータ回転速度検出装置に備えられたチップ放熱装置の構造見取図である。図に示すチップ放熱装置は、チップ（図示せず）表面に接触して該チップの放熱効果を増強するフィン８０と、パルス幅変調信号の駆動を受けて運転を進行することによりフィン８０周囲の空気の流動を加速させ、これを風吹出口８２より送出す放熱ファン８１と、を備えている。このチップ放熱装置には第１の入力端８３１と、第２の入力端８３２と、第３の入力端８３３と、回転速度出力端８３４とがあり、そして固定電源を有する回転速度出力モジュール（図３参照）は持続的に且つ正確に回転信号を系統に提供して、上記の回転速度制御方法を進行することが出来る。
【００１４】
なお、図９はチップ放熱装置を携帯式コンピュータに設置した実施例のブロック図である。図において番号ＮＳ５９１の制御器９０は上記系統３０の機能を完成して、符号１７６のレグより回転速度出力端８３４により持続的に出力された回転速度を受信し、そして符号８４のレグがチップ周囲環境温度を代表する温度信号を受信すると、制御器９０は温度および回転速度に応じて符号３２のレグよりパルス幅変調信号を発信する。この場合、該パルス幅変調信号の操作周波数及びデューティ・サイクル百分比は、既に番号ＮＳ５９１の制御器９０又は基本入出力系統（ＢＩＯＳ）中に記憶されたデータ（図７参照）に基づいて設定される。また、図５に示す学習方法ステップはそれぞれ番号ＮＳ５９１の制御器９０又は基本入出力系統（ＢＩＯＳ）９１もしくは両者の協同により完成される。
【００１５】
このように製造方法が比較的容易でコストも低下できるので、効果的に本発明の主要目的を達成することができる。
最後に強調すべきは、上記実施の形態は本発明の技術的手段をより理解できるように具体例をあげて説明したもので、当然本発明の技術的思想はこれら実施例に限定されず、添付クレームの範囲を逸脱しない限り、当業者による単純な設計変更、附加、修飾、置換等はいずれも本発明の技術的範囲に属する。
【図面の簡単な説明】
【００１６】
【図１】パルス幅変調信号により制御された従来の放熱ファンの機能ブロック図である。
【図２】（ａ）、（ｂ）はパルス幅変調信号と上記従来回転速度出力モジュールにより出力された矩形波信号の見取図である。
【図３】パルス幅変調信号により制御される放熱ファンの好適な実施例の機能ブロック図である。
【図４】（ａ）、（ｂ）はパルス幅変調信号と上記本発明の回転速度出力モジュールにより出力された矩形信号の見取図である。
【図５】本発明の放熱ファンにより発展された回転速度制御方法の好適な実施例のフローチャートである。
【図６】本発明の回転速度制御方法により得られたデューティ・サイクル百分比の、回転速度に対応する対照表である。
【図７】本発明の回転速度制御方法により得られたデューティ・サイクル百分比の該パルス幅変調信号に対応する工作周波数及びデューティ・サイクル百分比結果表である。
【図８】本実施例におけるモータ回転速度検出装置に備えられたチップ放熱装置の構造見取図である。
【図９】チップ放熱装置を携帯式コンピュータに設置した実施例のブロック図である。
【符号の説明】
【００１７】
１０：ファン・モータ  １１：回転速度出力モジュール  １０１：第１のエンド  １０２：第２のエンド  ３０：系統  ３１：ファン・モータ  ３２：回転速度出力端モジュール  ３３１：第１の入力端  ３３２：第２の入力端  ３２：回転速度出力モジュール  ３３３：第３の入力端  ３３４：回転速度出力端  ８０：フィン  ８１：放熱ファン  ８２：風吹出口  ８３１：第１の入力端  ８３２：第２の入力端  ８３３：第３の入力端  ８３４：回転速度出力端  ９０：制御器  ９１：基本入出力系統
【図１】
2005117820.tif 000003
【図２】
2005117820.tif 000004
【図３】
2005117820.tif 000005
【図４】
2005117820.tif 000006
【図５】
2005117820.tif 000007
【図６】
2005117820.tif 000008
【図７】
2005117820.tif 000009
【図８】
2005117820.tif 000010
【図９】
2005117820.tif 000011